(57)【要約】本発明は、宝飾品のような装飾品を、簡単にかつ素早く髪に配置するための装置に関するものである。装置（１）は、ループ（２、１０−１１）を必須のものとして含み、該ループは、好適には、端部（３）においてとがっており、また、もう一方の端部（４）において、固定具（６）によってはめ込まれている。ループは、装飾品および／または「能動要素」（７）と協働し、該装飾品および／または「能動要素」は、主として、前記ループ（２）またはその周りに通されるか、別の仕方で挟まれるか、または配置されるために適合された台（８）と、それ自体が前記台と一体化した装飾品（９）とから成る。前記台（８）を前記ループ（２）に通し、髪の毛束を前記ループ内に通過させ、装飾品（９）を支える台（８）を（前記ループ（２）に沿った滑動によって）前記髪の毛束に移動させ、そして、前記装置（１）を抜き取る。
2007533369.tif 000002
【特許請求の範囲】
【請求項１】
髪に装飾要素および／または「能動要素」を取付けるための装置１であって、該装置が、細いループ２を有し、該ループが、端部３を有し、かつ、そのもう一方の端部４においてはめ込まれるか、別の仕方で固定されているものであって、また、該装置が、装飾品および／または「能動要素」７と協働するのに適合しているものであり、該装飾品および／または「能動要素」自体が、ループ２またはその周りに据え付けられることができるように適合した台８と、前記台と一体化した、少なくとも一つの髪のための装飾品および／または「能動要素」９とを有することを特徴とする装置。
【請求項２】
前記台８を構成する本体が、前記台をループ２の分岐部において挟むことが可能な、該分岐部を締め付けるための手段、または、内部の管であって、その両端部において開口していて、それにより前記台をループ２の前記分岐部に通すことが可能な管を有し、考慮される手段が、（装飾品および／または「能動要素」９を支える）台８のループ２への配置と、次いで、このループに沿った台の滑動を可能にするべく適合されることを特徴とする、請求項１に記載の装置。
【請求項３】
装置が、端部３においてとがっていて、また、もう一方の端部４において、固定具６によってはめ込まれた、ループ２を有し、前記固定具が、次のものから成るグループから選択されることを特徴とする、請求項１または２に記載の装置：
−ループの二つの自由端部４を取り巻く塊であって、例えば、端部の周りに熱してはめ込まれた樹脂の塊、または、前記端部の周りに、堆積、浸漬によって置かれた接着剤の塊、
−直径の約３／４に沿って割れ目の入ったプラスチックの塊であって、割れ目にループの二つの端部が挿入されてから、その集合体が挟まれるか、はめ込まれる、
−同軸の通路を有する樹脂または他のプラスチック材料の塊であって、該通路に前記ループ２の二つの端部が入れられてから、その集合体が挟まれるか、はめ込まれ、あるいはまた、集合体が接着される。
【請求項４】
前記固定具が、様々なプラスチック材料、樹脂、金属、木材または繊維といった、人体にとって有毒でないあらゆる材料で構成されることを特徴とする、請求項１から３のいずれか一つに記載の装置。
【請求項５】
ループ２が、その端部４において自由で、端部３で結合している二つの分岐部１０、１１で形成されることができ、あるいはまた、端部４が反対の端部３のように既に結合しているループであることもできるものであって、また、既に述べたように、その片方の端部（３）または両方の端部（３および４）で結合している二つの分岐部１０、１１によって形成された集合体を形成し、非常に長い楕円形を形成することを特徴とする、請求項１から４のいずれか一つに記載の装置。
【請求項６】
端部３が、とがっているか角張っていて、台８の配置を容易にするようになっていることを特徴とする、請求項１から５のいずれか一つに記載の装置。
【請求項７】
ループ２が、耐食性の高いばね用の鋼鉄のような、直径が小さく、人体にとって有毒でないメタルワイヤや、または、プラスチック材料製の半硬質の糸から成ることが可能であり、その直径が、「ループ」の非常に長い楕円形を維持するようなものでありながらも、据え付けおよび滑動の操作を簡単に可能にするために、ループが容易に変形可能で、かつ、手で扱いやすいものであるように、直径が充分に小さいものであることを特徴とする、請求項１から６のいずれか一つに記載の装置。
【請求項８】
装飾品および／または「能動要素」９の台８が、人体にとって有毒でなく、据え付けおよび滑動操作を可能にするのに充分やわらかい、シリコーン製のケース、プラスチックの食品接触材料製のケースから成るグループから選択された材料から成ることができ、また前記台が、固定具６のように、同軸の通路１３によって孔があけられることができ、この場合、これがケースであり、あるいは、その直径の約３／４にわたって切り込みを入れられて、挟み込みを可能にすることができることを特徴とする、請求項１から７のいずれか一つに記載の装置。
【請求項９】
前記台８が、シリコーン、ネオプレンまたはエラストマー製のケースであることを特徴とする、請求項１から８のいずれか一つに記載の装置。
【請求項１０】
シリコーン、ネオプレンまたはエラストマー製の前記ケースが、ループにおいて、次いで髪の毛束において、不意に滑動することなく、しかるべき場所に軽く維持されるのに充分なほど、その同軸の通路１３のところがざらざらしており、すなわち「しっかりつかむ」ものであることを特徴とする、請求項９に記載の装置。
【請求項１１】
前記装飾品および／または能動要素が、有色の、もしくは透明な、もしくは無色の、または輝いた、真珠、プラスチック材料製、樹脂製の小さな塊であることができ、それ自体が、スパンコールおよび装飾要素ならびに髪の毛束を持つものであって、前記装飾品の塊および／または「能動要素」９が、ダイヤモンドの様々なカットをまねた形状、円、正方形、半球、ファセットのある半球の様相を呈することができることを特徴とする、請求項１から１０のいずれか一つに記載の装置。
【請求項１２】
次の段階を含むことを特徴とする、装飾品および／または「能動要素」９を髪に取付ける方法：
−以下を利用する
・半硬質の二つの分岐部１０、１１によって形成されるループ２を有する、請求項１から１１のいずれか一つに記載の装置１であって、該ループは、台を通す端部３および、はめ込まれたもう一方の端部４を有し、ループは、非常に細長い楕円形を規定する、
・ならびに、請求項１から１１のいずれか一つに記載されたような、少なくとも一つの装飾品および／または「能動要素」７であって、該装飾品および／または「能動要素」は、前記ループに通されるか、挟まれるか、または別の仕方で配置されるのに適していて、そこで滑動することまたは滑ることが可能になるような、シリコーンのケースのような、わずかにざらざらした台８と、少なくとも一つの装飾要素および／または「能動要素」９とを有する
−前記台８を前記ループ２に通し、髪の毛束を前記ループ内に通過させ、装飾品および／または能動要素９を支える台８を（前記ループ２に沿った滑動によって）前記髪の毛束に移動させ、そして、前記装置１を抜き取る。
【請求項１３】
次のものを有する、髪のための装飾品および／または「能動要素」７：
−わずかにざらざらした台８であって、シリコーンの、またはプラスチック材料製のケースのようなもの、または、直径の約３／４にわたって切り込みが入れられた、このタイプの台であり、前記ループに通されるか、挟まれるか、または別の仕方で配置されるのに適していて、そこで滑動することまたは滑ることが可能になるような台、
−前記台と一体化した、少なくとも一つの装飾要素９であって、ダイヤモンドの模造品、円形または半球形の塊で構成されるグループから選択されたものであり、ファセットがあって、スパンコールまたはブリリアントカットのような装飾要素を持つ装飾要素、
−および／または、香りをつけた宝飾品、香水の拡散器、香水のテスター、髪のカラーリングのテスター、複数のケースによって支えられた部品（例：織物の生地）、犬のための宝飾品、犬のための拡散器、犬のための薬物の拡散器、馬のたてがみのための宝飾品で構成されるグループの中から選択された「能動要素」。
【発明の詳細な説明】
【技術分野】
【０００１】
技術分野
本発明は、一般的に、アクセサリー類、高級宝飾品類、宝石類、香水類、動物のための装飾品の分野に関するものであり、また、これらの領域において、ならびに、かつら類において、および理髪技術において、適合されるものである。
【背景技術】
【０００２】
先行技術
既知のものとしては、米国特許第４，３１５，３６２号明細書および仏国特許出願公開第９８／０８１４２号明細書があり、そのいくつかについては、毛束を実現するための理髪用システムが記載されているが、該システムは、金属の細いループを有し、装飾目的で、該ループに髪の毛束を通過させるものであるが、多数の操作が要求される。これらの特許文献に記載された技術は複雑で、かつ／または髪を実際には留めることができず、かつ／または熟練していない使用者にとっては使用法が複雑である。
【特許文献１】米国特許第４，３１５，３６２号明細書
【特許文献２】仏国特許出願公開第９８／０８１４２号明細書
【発明の開示】
【発明が解決しようとする課題】
【０００３】
ゆえに、単純で、あまり高価でなく、熟練していない使用者でさえも利用が簡単で、かつ頑丈なシステムに対する、現実の要求が存在する。
【課題を解決するための手段】
【０００４】
本発明は、髪に装飾要素を取付けるための装置１に関するものであり、該装置は、端部４においてはめ込まれるか、別の仕方で固定された、細いループ２を有し、装飾品７と協働するのに適合しているものであって、該装飾品自体は、ループ２またはその周りに据え付けられることができるように適合した台８と、前記台と一体化した、少なくとも一つの髪のための装飾品９とを有する。
【０００５】
「ループ２またはその周りに据え付けられる」によって理解されることであるが、前記台８を構成する本体は、前記台をループ２の分岐部において挟むことが可能な、該分岐部を締め付けるための手段、または、内部の管であって、その両端部において開口していて、それにより前記台をループ２の前記分岐部に通すことが可能な管、および、当業者にとって明白な同様の物を有し、考慮される手段は、（装飾品を支える）台のループ２への配置と、次いで、このループに沿った台の滑動を可能にするべく、当業者が利用可能な仕方で適合されるものであるが、それについては後で述べるものとする。
【発明を実施するための最良の形態】
【０００６】
本発明は、付属の図面を参照しながら、後出の非制限的な例および、同じく非制限的な記述を読むことによって、より良く理解されるものであるが、該図面において：
−図１は、本発明による装置１の斜視図を示しており、該装置には、非制限的な例として、ループ１０、１１に通された台８と、前記台８の上部に接着された、または別の仕方で据え付けられた、厳密な意味での装飾品９とで形成される装飾品が通されている；
−図２は、本発明を、ユニットで構成された形で示したものである：Ａは固定ユニット６を示し、Ｂは、先端３を伴った「ループ」（２、１０、１１）ユニットを示し、Ｃは、台８から成る「装飾品」ユニットを示し、該台は、ループユニットＢに通されることを目的としており、また、その上には、厳密な意味での装飾品９が据え付けられているかまたは接着されている；
−図３は、装飾品９の非制限的な例を示し、ここでは、ダイヤモンドのカットに似通った様相を呈するファセットをもつタイプのものである；
−図４は、前記装飾品９のための台の好適な例を示し、該台は、通路１３によって、（図１に示されたように）ループに通されることを目的としている；
−図５は、一般的に平たい形状の固定具の様態を、正面図で示しており、該固定具は、アルミニウムまたはプラスチックの、接着された二枚の薄板１４および１５で構成され、ループの棒１０および１１の端部の固定のための通路１２が設けられている（場合によっては、各々がそれぞれ棒１０および１１の固定のための、隣接した二つの通路１２および１２’を用意することもできる）；
−図６は、領域１３（図１または７参照）における固定具の断面図を示し、隣接する二つの通路１２および１２’の各々がそれぞれ棒１０または１１を受ける；
−図７は、本発明による装置の側面図を示している。
【０００７】
ゆえに、装置１は、ループ２を必須のものとして含み、該ループは、好適には、端部３においてとがっており、また、もう一方の端部４において、固定具６によってはめ込まれている。
【０００８】
この固定具６は、ループの二つの自由端部４を取り巻く、一般的に平たい形状の塊であり、例えば、端部の周りに熱してはめ込まれた樹脂または他のプラスチック材料の塊、もしくは、前記端部の周りに、堆積、浸漬等によって置かれた接着剤の塊、または、直径の約３／４に沿って割れ目の入ったプラスチックの塊であって、割れ目にループの二つの端部が挿入されてから、その集合体が挟まれるか、はめ込まれる。この固定具はまた、同軸の通路を有する樹脂または他のプラスチック材料の塊によって実現してもよく、該通路に前記ループ２の二つの端部が入れられてから、その集合体が挟まれるか、はめ込まれ、あるいはまた、集合体が接着される。
【０００９】
固定具については、様々なプラスチック材料、樹脂、金属、木材または繊維といった、人体にとって有毒でないあらゆる材料が使われることが可能である。
【００１０】
請求の範囲を含む全ての文書において、「一般的に平たい形状」とは、図１において斜視図で、また図７において側面図で示されたタイプの形状（６）であり、すなわち、平たい形状とは、上から見ると、円または楕円、さらには長方形または正方形の形状であることができる。好適には、図１または２に記載された、ほぼ円または楕円の形状である。厚さは可変であり、以下では非制限的な例が示されるものである。
【００１１】
当業者が、この記述に基づいて、何の困難もなく形状および寸法を適合させることができるのは非常に明白である。本発明はこれらの適合例を含むものである。
【００１２】
固定具の最良の実現様態は、今日では、アルミニウム製またはプラスチック製の固定具である。
【００１３】
非常に好適な仕方では、固定具はアルミニウムまたはプラスチックの、上方１４と下方１５の２枚のプレートで形成され（図５）、これらのプレートの内側には、鋼鉄製の棒（すなわちループ１０、１１）の端部を入れるために、少なくとも一つの通路１２が形成される。
【００１４】
場合によっては、アルミニウムまたはプラスチックの二枚のプレートの間に、棒１０および１１をそれぞれ受け入れるための、二つの通路１２および１２’を並んで形成することもある（図６に示された変形例であるが、この図では、非制限的な例として、固定の初めの固定領域−図１または図７において符号１３によって表示された領域−が示されている）。
【００１５】
典型的に、また非制限的には、およその寸法は：
ａ＝１．５から３ｍｍ、好適には２ｍｍ、
ｂ＝２０から４０ｍｍ、好適には３０ｍｍ、
ｃ＝５０から７０ｍｍ、好適には６０ｍｍ、
ｄ＝３から５ｍｍ、好適には４ｍｍであり、通路は、好適には、縁から約１ｍｍのところにある。
【００１６】
次に、これらの２枚のプレートは、接着されるか、または別の仕方で据え付けられる。単純かつ有効であるために、接着が非常にはっきりと好まれる。
【００１７】
最良の実現様態では、アルミニウムまたはプラスチックは、鋼鉄製の棒がそこに（Ｔが逆になった形状をもつ、準備された空洞内に）簡単に入り込むように加工されており、また、全てが接着剤の中に包まれている。
【００１８】
固定具については、次のような材料を検討することができる（順番に）：プラスチック、金属、アルミニウム、ガラス、木材、繊維、皮、そしてより一般的にはあらゆるタイプの材料。
【００１９】
ループ２は、その端部４において自由で、端部３で結合している二つの分岐部１０、１１で形成されることができ、あるいはまた、端部４が反対の端部３のように既に結合しているループであることもできる。
【００２０】
当業者には理解されるであろうが、ここで「ループ」によって意味しているのは、二つの分岐部１０、１１によって形成された集合体のことであり、該分岐部は、既に述べたように、その片方の端部（３）または両方の端部（３および４）で結合しており、図７に示されているような、非常に長い楕円形を形成する。
【００２１】
好適には、端部３は、とがっているか角張っていて、台８の配置を容易にするようになっている。
【００２２】
ループ２は装飾品７と協働することを目的としており、該装飾品は、主として、（上記に示したように）前記ループ２またはその周りに通されるか、別の仕方で挟まれるか、または配置されるために適合された台８と、それ自体が前記台と一体化した装飾品９とから成る。
【００２３】
前記台８を前記ループ２に通し、髪の毛束を前記ループ内に通過させ、装飾品９を支える台８を（前記ループ２に沿った滑動によって）前記髪の毛束に移動させると、該毛束は前記台８の前記通過の際に二つに折り畳まれ、すると該台は二重になった毛束に沿ってさかのぼり、そして、前記装置１が抜き取られる。
【００２４】
ループは、耐食性の高いばね用の鋼鉄等のような、直径が小さく、人体にとって有毒でないあらゆるメタルワイヤや、または、プラスチック材料製の半硬質のあらゆる糸から成ることができる。直径は、「ループ」の非常に長い楕円形を維持するようなものでなければならないが、上述の操作を簡単に可能にするために、ループが容易に変形可能で、かつ、手で扱いやすいものであるように、直径は充分に小さいものである。
【００２５】
棒すなわちループの最良の実現様態は、今日では、耐食性の高いばね用の鋼鉄製のスプリングワイヤである。
【００２６】
装飾品９の台８は、人体にとって有毒でなく、上述の据え付けおよび滑動操作を可能にするのに充分やわらかい、あらゆる材料から成ることができる；例えば、とりわけネオプレン（登録商標）であるエラストマー製のケース、シリコーン製のケース、他のプラスチックの食品接触材料製のケース、および同様の物。
【００２７】
この台は、ループの端部４における固定具６のように、同軸の通路１２によって、または二つの通路１２、１２’によって、孔があけられることができ、この場合、これはケースであり、あるいは、その直径の約３／４にわたって切り込みを入れられて、挟み込みを可能にすることができる。
【００２８】
好適な実現様態は、ネオプレン製のケースであるが、シリコーンまたはエラストマーのような材料も用いることができる。
【００２９】
非常に好適な仕方では、シリコーン、ネオプレンまたはエラストマー製の前記ケースは、ループにおいて、次いで髪の毛束において、不意に滑動することなく、しかるべき場所に軽く維持されるのに充分なほど、その同軸の通路のところがざらざらしている。他の材料の選択もまた、充分にざらざらした、すなわち「しっかりつかむ」材料を対象としなければならない。
【００３０】
本発明の非常に重要な利点の一つは、すなわち、一つまたは複数の装飾品の、毛束における選ばれた位置での、個別の正確な位置決めを可能にするということである。
【００３１】
前記装飾品は、真珠のような、小さな塊の、任意のタイプのものであることができ、例えば、プラスチック材料、樹脂、および同様のものでできており、有色の、もしくは透明な、もしくは無色の、または輝いたものであり、場合によっては、それ自体が、スパンコール、髪の毛束、および、当業者が容易に利用できるあらゆる装飾要素を持つものである。
【００３２】
前記装飾品９の塊は、あらゆる形状をとることができ、例えば、ダイヤモンドの様々なカットをまねた形状、円、正方形、半球、ファセットのある半球等である。
【００３３】
その寸法およびその重量は、追求する美的効果によって決まるものであり、また、当然ながら、重量はあまり大きくなりすぎてはいけない。
【００３４】
本発明はまた、装飾品９を髪に取付ける方法にも関するものであり、該方法は次の段階を含むことを特徴とする：
−以下を利用する、
・半硬質の二つの分岐部１０、１１によって形成されるループ２を有する、上述したような装置１であって、該ループは、台を通す端部３および、一般的に平たい形状の固定具にはめ込まれたもう一方の端部４を有し、ループは、非常に細長い楕円形を規定する、
・ならびに、少なくとも一つの装飾品７であって、該装飾品は、前記ループに通されるか、挟まれるか、または別の仕方で配置されるのに適していて、そこで滑動することまたは滑ることが可能になるような、ネオプレンまたはシリコーンのケースのような、わずかにざらざらした台８と、少なくとも一つの装飾要素９とを有する、
−前記台８を前記ループ２に通し、髪の毛束を前記ループ内に通過させ、装飾品９を支える台８を（前記ループ２に沿った滑動によって）前記髪の毛束に移動させ、そして、前記装置１を抜き取る。
【００３５】
本発明はまた、髪のための装飾品７にも関するものであり、該装飾品は以下を有する、
−わずかにざらざらした台８であって、シリコーンの、またはプラスチック材料製のケースのようなもの、または、直径の約３／４にわたって切り込みが入れられた、このタイプの台であり、前記ループに通されるか、挟まれるか、または別の仕方で配置されるのに適していて、そこで滑動することまたは滑ることが可能になるような台、
−前記台と一体化した、少なくとも一つの装飾要素９であって、その形状および材料はどんなものでもよいが、とりわけ、ダイヤモンドの模造品や、円形または半球形の塊であって、ファセットの有無はどちらでもよく、場合によっては、スパンコールまたはブリリアントカットおよび同様のもののような装飾要素を持つ装飾要素。
【００３６】
前記装飾品は、「能動要素」に取り替えられること、または、「能動要素」と組み合わせられることが可能であり、該能動要素とは、香りをつけた宝飾品、香水の拡散器、香水のテスター、髪のカラーリングのテスター、複数のケースによって支えられた部品（例：織物の生地）、犬のための宝飾品、犬のための拡散器、犬のための薬物の拡散器、馬のたてがみのための宝飾品で構成されるグループの中から選択されたものである。
【００３７】
前記台８は、ループの通過を可能にするような任意の形状であることができるものであり、装飾品９との調和のために、主として美的な基準にもとづいて選択されるものである。
【図面の簡単な説明】
【００３８】
【図１】本発明による装置の斜視図
【図２】本発明を、ユニットで構成された形で示した概略図
【図３】装飾品の非制限的な例を示した概略図
【図４】図３に示す装飾品のための台の好適な例を示す概略図
【図５】平たい形状の固定具の正面図
【図６】固定具の断面図
【図７】本発明による装置の側面図
【符号の説明】
【００３９】
１  装置
２  ループ
３  端部
４  端部
６  固定具
８  台
【図１】
2007533369.tif 000003
【図２】
2007533369.tif 000004
【図３】
2007533369.tif 000005
【図４】
2007533369.tif 000006
【図５】
2007533369.tif 000007
【図６】
2007533369.tif 000008
【図７】
2007533369.tif 000009